(57)【要約】【課題】カートリッジシェルを樹脂成形する際に樹脂が冷却固化する速度が部分的に遅くなってシェルが変形するのを防止する。【解決手段】  ディスクカートリッジは、カートリッジシェルを構成する上，下ハーフ２１，２２の少なくとも何れか一方に記録再生のための開口部６を有し、該開口部６を介してカートリッジシェル内に回転可能に収納されているディスクへの記録及び又は再生を行なうようになっている。開口部６を設けた下ハーフ２２を、主面部２５ａと、該主面部２５ａ上に一体に起立成形された起立壁２５ｃ〜２５ｅ及び円弧状の内周壁２５ｆ，２５ｇと、で構成する。円弧状の内周壁２５ｆ，２５ｇの根元部分に、前記ハーフ射出成形後の冷却促進用の溝２７，２８を設け、これら溝２７，２８によって樹脂成形後における前記起立壁の根元部分の冷却固化を促進させ、ハーフ全体の冷却固化速度を略均一にした。【選択図】図８
2005209257.tif 000002
【特許請求の範囲】
【請求項１】
カートリッジシェルを構成する上下ハーフの少なくとも何れか一方に記録再生のための開口部を設け、該開口部を介して前記カートリッジシェル内に回転可能に収納されているディスクへの記録及び又は再生を行なうディスクカートリッジにおいて、
前記開口部を設けたハーフは、主面部と、該主面部上に一体に起立成形された起立壁と、を備えていて、
前記主面部は、前記起立壁の根元部に、前記ハーフ射出成形後の冷却促進用の溝を備えていることを特徴とするディスクカートリッジ。
【請求項２】
請求項１において、
前記起立壁は、カートリッジシェル内にディスクを回転可能に収納するディスク収納部を構成していることを特徴とするディスクカートリッジ。
【請求項３】
請求項１において、
前記開口部は、前記ハーフの全長の１／２以上の長さに形成されていることを特徴とするディスクカートリッジ。
【請求項４】
請求項２において、
前記溝は、前記ディスク収納部を構成する起立壁の内外周の根元部に形成されていることを特徴とするディスクカートリッジ。
【請求項５】
請求項１において、
前記溝の長さ方向と直交する方向の断面形状は、略円弧状に形成されていることを特徴とするディスクカートリッジ。
【請求項６】
ハーフ主面部と、該ハーフ主面部上に一体に起立成形された起立壁を備えたカートリッジシェルの射出成形方法であって、
前記ハーフ主面部の前記起立壁の根元部に溝を形成して、該溝によって樹脂成形後におけるカートリッジシェルの冷却固化を促進させることを特徴とするカートリッジシェルの射出成形方法。
【発明の詳細な説明】
【技術分野】
【０００１】
本発明は、ディスクカートリッジ、特にカートリッジシェル内にシャッタを組付けてカートリッジシェル内でシャッタを移動させることによりカートリッジシェルに設けた開口部を開閉するようにしたディスクカートリッジ及び該ディスクカートリッジに用いられるカートリッジシェルの射出成形方法に関するものである。
【背景技術】
【０００２】
図２７に示すように、ディスクカートリッジ１０１として、カートリッジシェル１０２内にシャッタ１０３を回動可能に組付けて該シャッタ１０３で前記カートリッジシェル１０２に設けた開口部１０４を開閉するようにした所謂シャッタ内蔵型のディスクカートリッジが開発されている。
【０００３】
前記カートリッジシェル１０２は、上下ハーフ１０５，１０６からなっている。前記下ハーフ１０６は、左右一対の下ハーフ構成体１０７，１０８に分割されていて、これら左右一対の下ハーフ構成体１０７，１０８の間に前記開口部１０４が形成されている。
【０００４】
図２８に示すように、前記左右一対の下ハーフ構成体１０７，１０８は、略長方形状に形成された主面部１０９と、該主面部１０９の一方の長辺側の周縁部に起立成形された第１の起立壁（以下、第１の周壁と称する）１１０と、前記主面部１０９の双方の短辺側の周縁部に起立成形された第２，第３の起立壁（以下、第２，第３の周壁と称する）１１１，１１２と、前記第１の周壁１１０と第２の周壁１１１の内側にこれら第１の周壁１１０と第２の周壁１１１に跨るように形成された円弧状の第１の起立壁（以下、第１の内周壁と称する）１１３と、前記第１の周壁１１０と第３の周壁１１２の内側にこれら第１の周壁１１０と第３の周壁１１２に跨るように形成された円弧状の第２の起立壁（以下、第２の内周壁と称する）１１４と、を備えている。
【０００５】
そして、前記第１，第２の内周壁１１３，１１４の内側に前記開口部１０４を中央にして略円形状のディスク収納部１１５が形成され、該ディスク収納部１１５にディスク１１６が回転可能に収納されるようになっている。
【０００６】
前記左右一対の下ハーフ構成体１０７，１０８は、合成樹脂を射出成形することにより形成されている。（例えば、特許文献１参照）。
【特許文献１】特開２００１−３３２０５４号公報
【発明の開示】
【発明が解決しようとする課題】
【０００７】
ところで、前記左右一対の下ハーフ構成体１０７，１０８は、溶融樹脂を成形金型のキャビティ内に射出して成形した後に冷却固化することにより形成されるのであるが、図２９に破線で示す前記第１，第２の内周壁１１３，１１４の根元部分１１７における主面部１０９の肉厚（直径）Ｔ１が主面部１０９の他の部分の肉厚Ｔ２よりも大になるために、次に述べるような問題点があった。
（１）溶融樹脂が固化する際に熱収縮が生じるが前記第１，第２の内周壁１１３，１１４の根元部分１１７の肉厚（直径）Ｔ１が他の部分の肉厚よりも大になっているために、前記根元部分１１７においては、主面部１０９の他の部分よりも溶融樹脂が固化するのに時間が掛かり、肉厚の薄い他の部分が固化してから前記根元部分１１７がゆっくりと固化することになる。このため前記根元部分１１７が固化する際に、主面部１０９が前記第１，第２の内周壁１１３，１１４の根元部分１１７で図２９の矢印ａ方向或いは矢印ｂ方向に変形する虞がある。特に、左右一対の下ハーフ構成体１０７，１０８の主面部１０９の前記第１の周壁１１０を設けた長辺と反対側の長辺側は開放された状態になっているので該開放端側が変形し易い。
（２）前記下ハーフ構成体１０８の主面部１０９が図２９の矢印ａ方向に変形すると、ディスク収納部１１５に収納されているディスクの円滑な回転を阻害したり、シャッタ１０３の円滑な開閉を阻害する。また、前記下ハーフ構成体１０８の主面部１０９が図２９の矢印ｂ方向に変形すると、ディスクカートリッジ１０１の肉厚が厚くなってしまって、記録再生装置に挿入する際にカートリッジシェルが記録再生装置のディスク挿入口に引っ掛かったりしてディスクカートリッジ１０１を記録再生装置内に円滑に挿入できなくなる。
（３）上ハーフ１０５側においても前記下ハーフ１０６の場合と同様の問題点が発生する。
【０００８】
本発明の目的は、前記従来の問題点を解決したディスクカートリッジを提供することにある。
【０００９】
また、本発明の他の目的は、前記ディスクカートリッジを構成するカートリッジシェルの変形を抑制することのできるカートリッジシェルの射出成形方法を提供することにある。
【課題を解決するための手段】
【００１０】
請求項１の発明は、カートリッジシェルを構成する上下ハーフの少なくとも何れか一方に記録再生のための開口部を設け、該開口部を介して前記カートリッジシェル内に回転可能に収納されているディスクへの記録及び又は再生を行なうディスクカートリッジにおいて、前記開口部を設けたハーフを、主面部と、該主面部上に一体に起立成形された起立壁と、で構成し、前記主面部の前記起立壁の根元部に、前記ハーフ射出成形後の冷却促進用の溝を設けた。
【００１１】
請求項２の発明は、請求項１のディスクカートリッジにおいて、前記起立壁で、カートリッジシェル内にディスクを回転可能に収納するディスク収納部を構成した。
【００１２】
請求項３の発明は、請求項１のディスクカートリッジにおいて、前記開口部を、前記ハーフの全長の１／２以上の長さに形成した。
【００１３】
請求項４の発明は、請求項２のディスクカートリッジにおいて、前記溝を、前記ディスク収納部を構成する起立壁の内外周の根元部に形成した。
【００１４】
請求項５の発明は、請求項１のディスクカートリッジにおいて、前記溝の横断面形状を、略円弧状に形成した。
【００１５】
請求項６の発明は、ハーフ主面部と、該ハーフ主面部上に一体に起立成形された起立壁を備えたカートリッジシェルの射出成形方法であって、前記ハーフ主面部の前記起立壁の根元部に溝を形成して、該溝によって樹脂成形後におけるカートリッジシェルの冷却固化を促進させた。
【発明の効果】
【００１６】
請求項１の発明は、起立壁の根元部に溝を設けたので、該溝により前記起立壁の根元部におけるハーフ主面部の冷却固化が促進され、ハーフ主面部全体の冷却速度を均一化してハーフ主面部の変形を防止する。
【００１７】
請求項２の発明は、ディスクを回転可能に収納するディスク収納部を構成する起立壁の根元部に溝を設けたので、ディスク収納部の変形を防止して、該ディスク収納部内に収納されているディスクを円滑に回転させることができる。
【００１８】
請求項３の発明は、ハーフに設けられた開口部がハーフの全長の１／２以上の長さに形成されている場合には、前記開口部の存在によりハーフ主面部がより一層変形し易くなるが、起立壁の根元部に設けた溝で変形を抑制することができる。
【００１９】
請求項４の発明は、前記溝を、前記ディスク収納部を構成する起立壁の内、外周の根元部に形成したので、起立壁の内周側の溝によって、前記ディスク収納部の変形を防止し、起立壁の該周側の溝によって、前記ディスク収納部の外側の変形を防止する。
【００２０】
請求項５の発明は、前記溝の横断面形状（長さ方向と直交する方向の断面形状を、略円弧状に形成したので、該溝を設けることによる歪みの発生を抑制することができる。
【００２１】
請求項６の発明は、ハーフ主面部と、該ハーフ主面部上に一体に起立成形された起立壁を備えたカートリッジシェルの樹脂射出成形方法であって、前記ハーフ主面部の前記起立壁の根元部に溝を形成したので、該溝によって所謂放熱面積を増大させて樹脂成形後における前記起立壁の根元部の冷却固化を促進させることができる。
【発明を実施するための最良の形態】
【００２２】
以下、本発明を、（１）ディスクカートリッジの概略構成、（２）カートリッジシェルの構成、（３）ディスクの構成、（４）インナーロータの構成、（５）シャッタの構成、（６）シャッタ駆動機構の構成、（７）作用、（８）他の実施の形態、の各項に分けて順に説明する。
【００２３】
（１）ディスクカートリッジの概略構成
図１はディスクカートリッジを上面側から見た斜視図、図２はディスクカートリッジを下面側から見た斜視図、図３はシャッタを開いた状態の斜視図、図４は分解斜視図、図５は裏返して分解した状態の斜視図である。
【００２４】
図１〜図５に示したように、ディスクカートリッジ１は、カートリッジシェル２内に、ディスクとしてのディスク３と、インナーロータ４と、シャッタ５と、を重ね合せた状態で収納し、インナーロータ４を回転させることにより、シャッタ５をシャッタ駆動機構７により図２に示すカートリッジシェル２に設けた開口部６を閉塞する第１の位置と、図３に示す開口部６を開放する第２の位置との間で移動させるようになっている。
【００２５】
（２）カートリッジシェルの構成
図２に示すように、カートリッジシェル２は、上ハーフ２１と下ハーフ２２からなっている。下ハーフ２２は、左右一対の下ハーフ構成体２３，２４に分割されていて、これら左右一対の下ハーフ構成体２３，２４の間に開口部６が設定される。
【００２６】
下ハーフ２２を構成する左右一対の下ハーフ構成体２３，２４は、前記シャッタ駆動機構７を構成する一対の駆動軸部１０を備えている。
【００２７】
上ハーフ２１は、正面側が円弧形状とされた略四角形をなす薄い皿状の主面部２１ａの外周縁部に起立壁（以下、周壁と称する）２１ｂを一体的に形成することにより構成されている。
【００２８】
図６に示すように、周壁２１ｂは、前縁部２１ｃと、一対の側縁部２１ｄ，２１ｅと、後縁部２１ｆからなっている。後縁部２１ｆの中央部には、下ハーフ２２との位置決めを行う位置決め用の凹部２１ｇが設けられている。
【００２９】
前記周壁２１ｂの内側、詳しくは、前縁部２１ｃと一方の側縁部２１ｄのコーナー部分、一方の側縁部２１ｄと後縁部２１ｆのコーナー部分、後縁部２１ｆと他方の側縁部２１ｅのコーナー部分にはそれぞれ、円弧状リブ１４が設けられている。
【００３０】
円弧状リブ１４の内側にはリング状の起立壁（以下、内周壁と称する）１５が設けられていて、該リング状の内周壁１５の内側は、ディスク収納部１６になっている。
【００３１】
前記リング状の内周壁１５の内周側、すなわちディスク収納部１６側の根元部分には上ハーフ２１を樹脂成形する際に前記リング状の内周壁１５の根元部分の冷却固化を促進させるための溝１９が設けられている。
【００３２】
また、前記リング状の内周壁１５の外周側には、後に詳しく説明するインナーロータ４のリング部の先端が嵌合するリング状の凹部１７が設けられている。
前記リング状の凹部１７の底面の前後対称位置（１８０°位相をずらした位置）にはインナーロータ４を下ハーフ２２から離間する方向に移動させるためのリフトアップ用の凸部１８が設けられている。リフトアップ用の凸部１８は、後に説明するインナーロータ４のリング部４１の先端面に設けたインナーロータ側のリフトアップ用の凸部４６が乗り上げることにより、インナーロータ４を上ハーフ２１から離間する方向に移動させるようになっている。
【００３３】
前記上ハーフ２１は、図７に示すように、前記リング状の内周壁１５の内周側の根元部分に設けられた溝１９及び前記リング状の内周壁１５の外周側の根元部分に設けられたリング状の凹部１７により前記リング状の内周壁１５の根元部分における主面部２１ａの冷却固化が促進され、主面部２１ａ全体の冷却速度を均一化して上ハーフ射出成形時における主面部２１ａの熱変形を防止する。
【００３４】
図５に示すように、前記左右一対の下ハーフ構成体２３，２４は、略長方形状に形成された主面部２５ａと、該主面部２５ａの外周縁部に起立壁２５ｂを一体的に成形することにより構成されている。
【００３５】
図８に示すように、前記起立壁２５ｂは、前記主面部２５ａの一方の長辺側の周縁部に起立成形された第１の起立壁（以下、第１の周壁と称する）２５ｃと、前記主面部２５ａの双方の短辺側の周縁部に起立成形された第２，第３の起立壁（以下、第２，第３の周壁と称する）２５ｄ，２５ｅと、前記第１の周壁２５ｃと第２の周壁２５ｄの内側にこれら第１の周壁２５ｃと第２の周壁２５ｄに跨るように形成された円弧状の第１の起立壁（以下、第１の内周壁と称する）２５ｆと、前記第１の周壁２５ｃと第３の周壁２５ｅの内側にこれら第１の周壁２５ｃと第３の周壁２５ｅに跨るように形成された円弧状の第２の起立壁（以下、第２の内周壁と称する）２５ｇと、を備えている。
【００３６】
そして、前記第１，第２の内周壁２５ｆ，２５ｇの内側に前記開口部６を中央にして後に説明するインナーロータやシャッタ等を収納する収納部２６が形成されている。
【００３７】
図８、図９に示すように、前記第１，第２の内周壁２５ｆ、２５ｇの内，外周の根元部分には上ハーフ２１を樹脂成形する際に前記第１，第２の内周壁２５ｆ、２５ｇの根元部分には溝２７，２８が形成されている。
【００３８】
図１０に破線の円形で示す前記第１，第２の内周壁２５ｆ、２５ｇの根元部分２９における主面部２５ａの肉厚（直径）Ｔ１は、主面部２５ａの他の部分の肉厚Ｔ２と略同じ肉厚になり、主面部２５ａを樹脂成形後、冷却する際に主面部２５ａ全域の冷却速度を均一化して主面部２５ａの熱変形を防止する。
【００３９】
上，下ハーフ２１，２２は、互いの側壁を突き合せた状態で重ね合わされてカートリッジシェル２が構成される。
【００４０】
また、図２、図３に示すように、上，下ハーフ２１，２２の周壁２１ｂ，２５ｃの略中央部には、インナーロータ４の外周面のギヤ４３の一部を露出させるための開口窓３０が設けられている。この開口窓３０は、上ハーフ２１に設けた上ハーフ側切欠き部３０ａと、下ハーフ２２に設けた下ハーフ側切欠き部３０ｂとによって形成されている。更に、上，下ハーフ２１，２２の周壁２１ｂ，２５ｃには、その接合面に沿って前後方向に延びるガイド溝３１が設けられている。このガイド溝３１は、ディスクカートリッジ１をディスク記録再生装置に装着する際の誤挿入防止等を目的として設けられたものである。このガイド溝３１は開口窓３０に連通している。
【００４１】
図４に示すように、一方の下ハーフ構成体２３の第１の周壁２５ｃと第２の周壁２５ｄとのコーナー部には、ロック部材３２が回動可能に収納されるロック収納部３３が設けられている。このロック収納部３３は、下ハーフ２２のインナーロータ等の収納部に連通されていると共に、第１の周壁２５ｃに設けられた開口穴３４を介してガイド溝３１に連通されている。更に、前記ロック収納部３３には、ロック部材３２を回動自在に支持する支持軸３５が、上ハーフ２１側へ突出するように設けられている。
【００４２】
ロック部材３２は、支持軸３５に回動自在に嵌合されて平面方向へ揺動可能とされたレバー状部材によって形成されている。ロック部材３２の長手方向の一端には複数の歯を有するストッパ部３６が設けられ、長手方向の他端には操作部３７が設けられている。更に、ロック部材３２には、ストッパ部３６と対向するよう同方向に突出されたバネ片３８が一体に設けられている。
【００４３】
前記ロック部材３２は、ストッパ部３６をインナーロータ等の収納部側に向けた状態で支持軸３５に嵌入され、バネ片３８が前縁部２２ｂの内面に当接される。このバネ片３８のバネ力によってストッパ部３６がインナーロータ等の収納部側に付勢されると共に、操作部３７が開口穴３４を内側から貫通してガイド溝３１内に突出される。また、他方の下ハーフ構成体２４の第１の周壁２５ｃと第３の周壁２５ｅのコーナー部分に設けた誤消去防止部材取付部９１には、光ディスク等の記録媒体に記録された情報の誤消去を防止するための誤消去防止部材９２が取り付けられている。
【００４４】
（３）ディスクの構成
情報記録媒体としてのディスク３として、オーディオ情報としての音楽信号やビデオ情報としての映像信号及び音楽信号等の各種の情報信号が予め記録された再生専用型の光ディスク、或いはオーディオ情報やビデオ情報等の情報信号が１度だけ記録可能な追記型若しくは何度でも繰り返して記録可能な書換え型が記録可能型の光ディスクとして知られているが、実施例では記録可能型の光ディスク（以下、光ディスクと称する）が使用されている。
【００４５】
図４に示したように、光ディスク３は、中央部にセンタ穴３ａが設けられた厚みの薄い円板状の記録部材からなる。
【００４６】
光ディスク３は、チャッキングプレート押さえ３ｂにより上ハーフ２１の内面に取り付けられたチャッキングプレート３ｃによりディスク記録再生装置のターンテーブルにチャッキングされて回転方向に一体化されて所定速度（例えば、ゾーン毎の角速度一定：ＺＣＡＶ）で回転される。
【００４７】
光ディスク３の一主面には、記録再生装置に内蔵される光学ピックアップ装置の光学ヘッドが対向される情報を記録することが可能な情報記録領域２９ａと、情報を記録することが不可能な非記録領域２９ｂとが設けられている。非記録領域２９ｂは、光ディスク３の中央部のセンタ穴３ａの外側に所定幅で設けられた内側の非記録領域２９ｂと、光ディスク３の外周縁に所定幅で設けられた外側の非記録領域２９ｂとからなる。この内外側の非記録領域２９ｂ，２９ｂ間に情報記録領域２９ａが設けられている。
【００４８】
光ディスク３は、次に説明するインナーロータ４のリング部４１内に回転自在に収納される。なお、光ディスク３の基板の材質としては、例えば、ポリカーボネート（ＰＣ）、ポリメタクリレート（ＰＭＭＡ）等の合成樹脂が好適であるが、他の合成樹脂を用いることができることは勿論のこと、合成樹脂以外でも、ガラス材やアルミニウム合金等の各種の材料を用いることができる。
【００４９】
ディスクとしては、光ディスクに限定されるものではなく、薄い円盤の表面に、磁性薄膜層を形成して特定位置の磁化状態により情報を記憶するようにした磁気ディスク、同様に形成した磁性薄膜層に光ヘツドと磁気ヘツドを使用して情報を書き込み又は読み出すようにした光磁気ディスクその他の記憶媒体を適用することができる。
【００５０】
（４）インナーロータの構成
インナーロータ４は、図４に示すように、円盤状の薄い板材からなる平面部４０と、この平面部４０の外周縁に連続して設けられたリング部４１とを有している。インナーロータ４の平面部４０の中央部には、開口部４２が形成されていると共に、下面側（リング部４１と反対側の面）には前記シャッタ駆動機構７の枢支部８を構成する一対の軸部８ａが設けられている。これら一対の軸部８ａは、開口部４２を中心にして点対称となるように設けられている。
【００５１】
前記開口部４２は、前記下ハーフ２２の開口部６と同様に、ディスク回転駆動機構のターンテーブルと光学ピックアップ装置の光学ヘッドを光ディスク３に臨ませる記録／再生用開口部４２ａと、ディスク回転駆動機構のターンテーブルを臨ませる中央開口部４２ｂとからなっている。
【００５２】
図５に示すように、リング部４１は、上ハーフ２１の内面に設けられたリング状リブ１５の外径よりも稍大径の円筒状に形成され、前記リング状リブ１５の外周に回転自在に嵌合され、その先端部が前記リング状リブ１５の外側に設けられたリング状の凹部１７に挿入されるようになっている。
【００５３】
また、リング部４１の外周面には、周方向の所定範囲に渡って多数の歯を有するギア部４３が設けられている。このギア部４３は、インナーロータ４の回転角度よりも少々大きい角度範囲となるように設定されている。即ち、図１２に示すように、下ハーフ２２の開口部６に対してインナーロータ４の開口部４２が最大に傾いて、次に説明する一対のシャッタ部材５ａ，５ｂが完全に閉じた状態になると、ギア部４３の周方向の一端が開口窓３０の一端に位置（露出）し、次に説明するストッパ部４４ａに設けた突起係合凹部４４が開口窓３０の中央に位置（露出）する。また、図１１に示すように、インナーロータ４が所定角度に回転して開口部４２と開口部６が重なり合った状態となり、一対のシャッタ部材５ａ，５ｂが完全に開いたときに、ギア部４３の周方向の他端が開口窓３０に位置（露出）する。
【００５４】
インナーロータ４のギア部４３の両側には、インナーロータ４の回転移動量を制限するストッパ部４４ａ，４４ｂが半径方向外側へ突出するように設けられている。
【００５５】
このようにギア部４３及びストッパ部４４ａ，４４ｂがリング部４１の外周面から外側へ突出しているため、上ハーフ２１及び下ハーフ２２の対応する部分には、ストッパ部４４ａ，４４ｂ等との接触を回避してその通過を許容するための逃げ溝４５ａ，４５ｂがそれぞれ設けられている。
【００５６】
図１１に示すように、インナーロータ４の開口部４２と下ハーフ２２の開口部６が重なり合った状態になると、ストッパ部４４ａの一端部が逃げ溝４５ａの一端部に設けたストッパ係合部４５ｃに係合してインナーロータ４の更なる回転を阻止する。また、図１２に示すように、インナーロータ４の開口部４２が下ハーフ２２の開口部６に対して最大に傾いた状態になると、ストッパ部４４ｂの一端部が開口部６の一端部に設けたストッパ係合部４５ｄに係合してインナーロータ４の更なる回転を阻止する。
【００５７】
更に、リング部４１の先端面には、周方向の２箇所にリフトアップ用の凸部４６が設けられている。これらインナーロータ側のリフトアップ用の凸部４６は、図１２に示すように、インナーロータ４の開口部４２が下ハーフ２２の開口部６に対して最大に傾いた状態において、図２２（Ａ）に示すように、上ハーフ２１のリング状の凹部１７内に設けたリフトアップ用の凸部１８に乗り上げるようになっている。
【００５８】
図５に示すように、前記一対の軸部８ａ，８ａの近傍には、下ハーフ２２に設けたリブ状の凸部２０ａ（図４参照）と略同じ高さの台形状の嵌合解除用の凸部４８、４８が設けられている。これら嵌合解除用の凸部４８、４８は、シャッタ部材５ａ，５ｂが開口部６を閉じている図１２の位置（第１の位置）から開口部６を解放する図１１の位置（第２の位置）に移動する際に、前記リブ状の凸部２０ａを次に説明する一対のシャッタ部材５ａ，５ｂの溝状の凹部２０ｂから抜き出すためのものである。
【００５９】
嵌合解除用の台形状の凸部４８、４８は、図１２に示す位置において、前記リブ状の凸部２０ａの端部に設けた第２，第４の背高部２０ｅ，２０ｇの側方に位置している。
【００６０】
（５）シャッタの構成
図１３及び図１４に示すように、シャッタ５は、略半円形に形成された一対のシャッタ部材５ａ，５ｂによって構成されている。前記一対のシャッタ部材５ａ，５ｂは、前記下ハーフ２２の開口部６の周縁部に設けたリブ状の凸部２０ａの第１〜第４の背高部２０ｄ〜２０ｇ（図１１、図１２参照）の高さと略同じ板厚の板体によって形成されている。
【００６１】
前記一対のシャッタ部材５ａ，５ｂは、前記インナーロータ４に設けた軸部８ａを挿入して枢支部８を構成する軸受部８ｂと、前記下ハーフ２２の内面に設けた駆動軸部１０を挿入する長孔９と、を備えている。これらの長孔９は、それらが設けられているシャッタ部材５ａ，５ｂの軸受部８ｂを中心に放射方向へ延びるように形成されている。前記長孔９の外側の端部には、周囲に切り込みを入れることによって形成された弾性片５４と、ボス状の駆動軸部１０を逃がすための凹部５３とが設けられている。また、シャッタ部材５ａ，５ｂの円弧側辺には閉鎖用の凸片５５が設けられている。
【００６２】
前記一対のシャッタ部材５ａ、５ｂの弦側辺の略中央部には、弦線と直交する方向に所定の長さで形成された段部５０が設けられており、この段部５０を介してその両側に凸側接合部５０ａと凹側接合部５０ｂとが形成されている。更に、シャッタ部材５ａ，５ｂの各接合部５０ａ，５０ｂには、弦の延在方向と直交する方向に突出する薄肉の庇状の重合部５１ａ，５１ｂがそれぞれ設けられている。かくして、一対のシャッタ部材５ａ，５ｂにおいて、互いの凸側接合部５０ａの端面と凹側接合部５０ｂの端面とがそれぞれ対向され、凸側接合部５０ａの庇状の重合部５１ａが凹側接合部５０ｂの庇状の重合部５１ｂにそれぞれ重なり合わされる。このシャッタ部材５ａ，５ｂの弦側辺の凸側接合部５０ｂ側の端部である軸組付部５０ｃには、軸受部８ｂがそれぞれ設けられている。
【００６３】
シャッタ部材５ａ、５ｂの弦側辺の凹側接合部５０ｂ側の端部には、それぞれ下ハーフ２２の開口部の周縁部に設けたリブ状の凸部２０ａの端部に設けた第２の背高部２０ｅ又は第４の背高部２０ｇを導入する切欠部５０ｄが設けられている。
【００６４】
前記シャッタ部材５ａ，５ｂは、軸受部８ｂにインナーロータ４の平面部４０の軸部８ａを嵌合させることにより、インナーロータ４の平面部４０にそれぞれ回動自在に取り付けられる。この際、一対のシャッタ部材５ａ，５ｂは、互いの弦側辺を対向させて取り付けるようにする。その結果、図１５に示すように、一対のシャッタ部材５ａ，５ｂをそれぞれ外側へ離反させるように回動させたとき、各シャッタ部材５ａ，５ｂは、インナーロータ４の開口部４２を挟んで、その両側部上に重なるように載置される。一方、一対のシャッタ部材５ａ，５ｂをそれぞれ内側へ回動させて互いの接合部５０ａ，５０ｂをそれぞれ当接させることにより、図１６に示すように、開口部４２が一対のシャッタ部材５ａ，５ｂによって閉じられる。
【００６５】
シャッタを閉じた状態において、前記シャッタ部材５ａの凸片５５は、下ハーフ２２の第１の背高部２０ｄに当接し、シャッタ部材５ｂの凸片５５は、下ハーフ２２の第３の背高部２０ｆに当接して、これらの間の隙間を塞ぐようになっている。
【００６６】
また、前記シャッタ部材５ａ，５ｂの下ハーフ２２との摺接面（シャッタ部材５ａ，５ｂの内面）には、下ハーフ２２の開口部の周縁部に設けたリブ状の凸部２０ａと係合して、防塵部を構成する溝状の凹部２０ｂが設けられている。溝状の凹部２０ｂには、シャッタ部材５ａ，５ｂが開口部４２を閉じている状態において、下ハーフ２２のリブ状の凸部２０ａが嵌合するようになっている。
【００６７】
（６）シャッタ駆動機構の構成
図１７はシャッタ駆動機構７の分解斜視図である。前記シャッタ駆動機構７は、インナーロータ４にシャッタ５を回動可能に取り付けている枢支部８と、該枢支部８を中心に放射方向にシャッタ５に形成された長孔９と、カートリッジシェル２の下ハーフ２２の内面に設けられ、且つ前記長孔９に挿入されていてインナーロータ４を回転させると前記長孔９内を変移しながら前記枢支部８を中心にしてシャッタ５を回動させる駆動軸部１０と、を備えている。前記枢支部８は、インナーロータ４に設けられた軸部８ａと、シャッタ５に設けられた軸受部８ｂと、からなっている。
【００６８】
そして、図１８に示すように、シャッタ５がカートリッジシェル２に設けた開口部６を閉塞する第１の位置にある状態から、インナーロータ４を一方向（図１８の反時計方向）に回転させるとシャッタ駆動機構７を構成する長孔９と駆動軸部１０によりシャッタ５は、枢支部８を中心にして回動して、図１９に示すように、カートリッジシェル２に設けた開口部６を開放する第２の位置に回動移動する。逆に、シャッタ５が第２の位置にある状態から、インナーロータ４を他方向（図１９の時計方向）に回転させるとシャッタ駆動機構７によりシャッタ５は、カートリッジシェル２に設けた開口部６を閉塞する第１の位置に回動移動するようになっている。
【００６９】
（７）ディスクカートリッジの作用
次に、ディスクカートリッジの作用をディスク記録再生装置の構成と共に説明する。ディスク記録再生装置６０は、図２０に示すように、中空の筐体からなる外装ケース６１と、この外装ケース６１内に収納された記録再生装置本体（図示省略）等を備えて構成されている。外装ケース６１は、上面及び前面に開口されたケース本体６２と、このケース本体６２の上面を閉じるように上部に着脱可能に取り付けられたケース蓋体６３と、ケース本体６２及びケース蓋体６３の前面を閉じるように前部に着脱可能に取り付けられた前面パネル６４等を備えている。
【００７０】
ケース本体６２の４箇所には、下方に突出する脚体６２ａが設けられている。これらの脚体６２ａによってディスク記録再生装置６０が支えられている。前面パネル６４は、横長とされた板状部材からなり、その上部には横長のカートリッジ出入口６５が設けられている。カートリッジ出入口６５は、ディスクカートリッジ１の正面側の大きさ略同程度の大きさに形成されている。このカートリッジ出入口６５は、その内側に配置された開閉扉６６によって常時は閉じられている。
【００７１】
この開閉扉６６をディスクカートリッジ１の前部で押圧し、所定の位置まで差し込む。これにより、図示しないローディング機構によってディスクカートリッジ１が自動的に取リ込まれる。そして、ローディング機構で搬送されたディスクカートリッジ１は、ディスク記録再生装置６０内の所定位置で位置決めされて固定される。これと同時に又は前後して、ディスク記録再生装置６０に設けられているシャッタ開閉機構によってシャッタ５が操作され、開口部６，４２が開放される。
【００７２】
これを具体的に説明すると、ディスクカートリッジ１が所定の位置まで挿入されると、図２１に示すように、ディスク記録再生装置６０に内蔵されたシャッタ開閉機構のラック棒７０が、ディスクカートリッジ１の一方の側面部に設けたガイド溝３１内に入り込む。これにより、ガイド溝３１内に突出されているロック部材３２の操作部３７が、バネ片３８の付勢力に抗してラック棒７０の押圧力によりロック収納部３３内に押し込められて、ロック部材３２によるインナーロータ４のロックが解除されると共に、前記ラック棒７０に弾性片７０ｂを介して設けた回転操作突起７０ｃがインナーロータ４に設けた突起係合凹部４４に係合して、インナーロータ４を回転させる。更に、ラック棒７０が相対的に前進することにより、そのギア部７０ａの先端がインナーロータ４のギア部４３に噛み合わされる。
【００７３】
このギア部４３がラック棒７０のギア部７０ａに噛み合うことにより、ラック棒７０の移動量に応じてインナーロータ４が回転される。
【００７４】
図２１は、ラック棒７０のギア部７０ａがインナーロータ４のギア部４３に噛み合う前の状態を示すものである。この状態では、一対のシャッタ部材５ａ，５ｂの凸側接合部５０ａ及び凹側接合部５０ｂは互いに突き当てられて密着されている。このとき、インナーロータ４の開口部４２は、下ハーフ２２の開口部６に対して傾斜された位置にあるため、両開口部６，４２の重なり合った中央部分のみが開口されるが、その開口部は一対のシャッタ部材５ａ，５ｂによって閉じられている。従って、開口部６，４２の重複部分から塵埃がディスク収納部内に入り込む虞れがない。
【００７５】
更に、開口部６と開口部４２とが鋭角で接近している部分には、一対のシャッタ部材５ａ，５ｂの軸取付部５０ｃが介在されており、これら軸取付部５０ｃがリブ状の凸部２０ａの第２，第４の背高部２０ｅ，２０ｇの内側に位置して隙間を消滅させている。また、第１，第３の背高部２０ｄ，２０ｆの内側には閉鎖用の突片５５が介在されて隙間を消滅させている。更に、一対のシャッタ部材５ａ，５ｂに設けた長孔９は、シャッタ部材５ａ，５ｂが重なっている下ハーフ２２によって閉じられている。更にまた、開口部６を囲むように下ハーフ２２の開口部の周縁部に設けたリブ状の凸部２０ａがシャッタ部材５ａ，５ｂに設けた溝状の凹部２０ｂに嵌まり込んでクランク状の防塵部が形成されて、開口部６，４２を介して塵埃がディスク収納部内に侵入するのを防止する。
【００７６】
この状態から、ディスクカートリッジ１の挿入動作に対応してラック棒７０がガイド溝３１内に入り込み、そのギア部７０ａとインナーロータ４のギア部４３との噛み合いが開始されると、インナーロータ４が時計方向に回転される。この場合、インナーロータ４が回転動作を開始する初期状態では、図２１及び図２２（Ａ）に示すように、インナーロータ４のリフトアップ用の凸部４６が上ハーフ２１のリフトアップ用の凸部１８に乗り上げてインナーロータ４との間で一対のシャッタ部材５ａ、５ｂを挟持した状態となっているため、インナーロータ４の回転動作には比較的大きな力が必要とされる。リフトアップ用の凸部１８，４６相互の乗り上げによる大きな摩擦力に抗してインナーロータ４を回転させることにより、図２２（Ｂ）に示すように、リフトアップ用の凸部１８，４６相互の係合が外れ摩擦力が消滅する。そのため、これ以後のインナーロータ４の回転動作は、極めて軽く且つスムースに行うことができる。
【００７７】
インナーロータ４を回転により、インナーロータ４の底面に設けた嵌合解除用の台形状の凸部４８，４８が下ハーフ２２のリブ状の凸部２０ａの第１，第３の背高部２０ｄ，２０ｆに乗り上げて、下ハーフ２２に対してインナーロータ４が持ち上げられた状態になると共に、シャッタ部材５ａ，５ｂも上昇して、リブ状の凸部２０ａから溝状の凹部２０ｂが抜け出た状態になるのである。
【００７８】
そして、インナーロータ４の更なる回転により、シャッタ部材５ａ，５ｂは、図２１の状態から、図２３のシャッタの半開状態を経て、図２４に示すように、各シャッタ部材５ａ，５ｂがインナーロータ４の開口部４２の両側部に移動して、前記開口部６，４２が完全に開放された状態になる。このとき、下ハーフ２２の開口部６の周縁部に付着した塵埃等は、前記シャッタ部材５ａ，５ｂの溝部８１内に受容されてカートリッジシェル２内に侵入するのを未然に阻止される。
【００７９】
前記開口部６，４２が完全に開放された状態になると、ディスク収納部内に収納されている光デイスク３の一部が開口部６，４２によって露出される。そして、前記記録再生装置本体６２による情報信号の再生又は記録が実行される。
【００８０】
情報信号の再生又は記録の後、ディスク記録再生装置６０に設けられるカートリッジ排出ボタン（図示せず）を操作することにより、ローディング機構の作動を介してディスクカートリッジ１がディスク記録再生装置６０から排出される。
【００８１】
（８）他の実施の形態
図２５は下ハーフ２２を構成する左右一対の下ハーフ構成体２３，２４を一対の連結リブ９８，９９で連結して、左右一対の下ハーフ構成体２３，２４を一体化した場合を示す。このような一体型の下ハーフ２２においても開口部６の存在により下ハーフ２２の主面部２２ａは樹脂成形時に変形し易くなっているので、前記第１，第２の内周壁２５ｆ，２５ｇの内，外周の根元部分に溝２７，２８を設けて前記左右一対の下ハーフ構成体２３，２４を樹脂成形する際に、溝２７，２８により前記リング状の内周壁１５の根元部におけるハーフ主面部の冷却固化を促進してハーフ主面部全体の冷却速度を均一化してハーフ主面部の変形を防止する効果は大である。
【００８２】
上記一体型の下ハーフ２２において開口部６の長さＬ１が下ハーフ２２の長さＬ２の１／２以上の長さに形成されている場合に前記溝２７，２８を設ける効果は大きい。また、前記溝２７，２８は、図２６に示すように、いずれか一方、例えば第１，第２の内周壁２５ｆ、２５ｇの内周側の根元部分に溝２７のみ設けても良い。なお、他の構成は、基本となる実施の形態の場合と同じであるので重複する説明は省略する。
【図面の簡単な説明】
【００８３】
【図１】ディスクカートリッジを上面側から見た斜視図。
【図２】ディスクカートリッジを下面側から見た斜視図。（シャッタ閉状態）
【図３】ディスクカートリッジを下面側から見た斜視図。（シャッタ開状態）
【図４】図１の分解斜視図。
【図５】図２の分解斜視図。
【図６】上ハーフの内面側の平面図。
【図７】図６のＡ−Ａ断面図。
【図８】下ハーフの内面側の斜視図。
【図９】図８のＡ部分の拡大断面図。
【図１０】効果を示す説明図。
【図１１】下ハーフにインナーロータを組み付けて両者の開口部の位置を合わせた状態の平面図。
【図１２】下ハーフにインナーロータを組み付けて両者の開口部の位置をずらした状態の平面図。
【図１３】シャッタ部材を内面側から見た斜視図。
【図１４】シャッタ部材を外面側から見た斜視図。
【図１５】下ハーフにインナーロータを組み付けて両者の開口部の位置を合わせた状態の平面図。
【図１６】下ハーフにインナーロータを組み付けて両者の開口部の位置をずらした状態の平面図。
【図１７】シャッタ駆動機構部分の分解斜視図。
【図１８】シャッタが閉じられた状態を下面側から見たカートリッジの要部の底面図。
【図１９】シャッタが開かれた状態を下面側から見たカートリッジの要部の底面図。
【図２０】ディスク記録再生装置の斜視図。
【図２１】カートリッジシェルとシャッタ機構との動作関係を示し、シャッタ部材で開口部を完全に閉じた状態を示す説明図。
【図２２】（Ａ）はインナーロータのリフトアップ用の凸部が上ハーフのリフトアップ用の凸部に乗り上げた状態を示す断面図、（Ｂ）はインナーロータと上ハーフのリフトアップ用の凸部の係合が外れた状態を示す断面図。
【図２３】図２１の状態からインナーロータを回転させて一対のシャッタ部材を半開きにした状態を示す説明図。
【図２４】図２３の状態からインナーロータを更に回転させて一対のシャッタ部材が完全に開いた状態を示す説明図。
【図２５】他の実施の形態の下ハーフを下面側から見た斜視図。
【図２６】内周壁の内周側に溝を形成した場合を示す説明図。
【図２７】従来例の斜視図。
【図２８】従来例の下ハーフを内面側から見た斜視図。
【図２９】従来例の問題点を示す説明図。
【符号の説明】
【００８４】
１…ディスクカートリッジ、２…カートリッジシェル（シェル）、３…光ディスク（ディスク）、４…インナーロータ、５…シャッタ、５ａ，５ｂ…一対のシャッタ部材、６…開口部、２１，２２…上，下ハーフ、２３，２４…下ハーフ構成体、２５ａ…主面部、２５ｂ〜２５ｇ…起立壁、２６…収納部、２７，２８…冷却促進用の溝。
【図１】
2005209257.tif 000003
【図２】
2005209257.tif 000004
【図３】
2005209257.tif 000005
【図４】
2005209257.tif 000006
【図５】
2005209257.tif 000007
【図６】
2005209257.tif 000008
【図７】
2005209257.tif 000009
【図８】
2005209257.tif 000010
【図９】
2005209257.tif 000011
【図１０】
2005209257.tif 000012
【図１１】
2005209257.tif 000013
【図１２】
2005209257.tif 000014
【図１３】
2005209257.tif 000015
【図１４】
2005209257.tif 000016
【図１５】
2005209257.tif 000017
【図１６】
2005209257.tif 000018
【図１７】
2005209257.tif 000019
【図１８】
2005209257.tif 000020
【図１９】
2005209257.tif 000021
【図２０】
2005209257.tif 000022
【図２１】
2005209257.tif 000023
【図２２】
2005209257.tif 000024
【図２３】
2005209257.tif 000025
【図２４】
2005209257.tif 000026
【図２５】
2005209257.tif 000027
【図２６】
2005209257.tif 000028
【図２７】
2005209257.tif 000029
【図２８】
2005209257.tif 000030
【図２９】
2005209257.tif 000031